(57)【要約】【課題】定常状態でミュート機能を実現できると共に、電源オン／オフ時およびコンセントが引抜かれる時に生じる輝度ノイズを防止できる映像出力装置を提供する。【解決手段】  映像出力バッファＩＣ３２の入力側にミュート回路Ａが配置され、映像出力バッファＩＣ３２の出力側にミュート回路Ｂが配置される。制御部１０１のミュート制御信号に基づいて、映像出力バッファＩＣ３２に正常な電源電圧が印加されている定常状態ではミュート回路Ａによりミュートを行い、映像出力バッファＩＣ３２に正常な電源電圧が印加されていない過渡応答状態ではミュート回路Ｂによりミュートを行うようになされる。これにより、定常状態でミュート機能を実現できると共に、過渡応答状態で電源オン／オフ時およびコンセントが引抜かれる時に生じる輝度ノイズを防止することができる。【選択図】        図１
2005086251.tif 000002
【特許請求の範囲】
【請求項１】
映像信号を規定値まで増幅して出力する映像出力手段と、
上記映像出力手段の入力側に配置され、映像をミュートする第１のミュート手段と、
上記映像出力手段の出力側に配置され、映像をミュートする第２のミュート手段と、
上記第１のミュート手段と上記第２のミュート手段を制御する制御手段とを備え、
上記制御手段からの制御信号に基づいて、上記映像出力手段に所定の電源電圧が印加されている状態では上記第１のミュート手段によりミュートを行い、上記映像出力手段に上記所定の電源電圧が印加されていない状態では上記第２のミュート手段によりミュートを行う
ことを特徴とする映像出力装置。
【請求項２】
上記映像出力手段の出力インピーダンスは７５Ωである
ことを特徴とする請求項１に記載の映像出力装置。
【発明の詳細な説明】
【技術分野】
【０００１】
この発明は、低い出力インピーダンスを有する映像出力装置に関する。詳しくは、映像出力手段の入力側に映像をミュートする第１のミュート手段を配置し、映像出力手段の出力側に映像をミュートする第２のミュート手段を配置し、ミュート制御信号に基づいて、映像出力手段に所定の電源電圧が印加されている状態では第１のミュート手段によりミュートを行い、映像出力手段に所定の電源電圧が印加されていない状態では第２のミュート手段によりミュートを行う構成とすることによって、映像出力手段に正常な電源電圧が印加されている定常状態では第１のミュート手段が有効に動作し、映像出力手段に正常な電源電圧が印加されていない過渡応答状態では第２のミュート手段が有効に動作することができるため、定常状態でミュート機能を実現できると共に、電源オン／オフ時およびコンセントが引抜かれる時に生じる輝度ノイズを防止することができるようにした映像出力装置に係るものである。
【背景技術】
【０００２】
従来、映像出力装置において、音声ミュート回路は音声出力バッファの出力側に配置され、映像ミュート回路は映像出力バッファの入力側に配置される。これは、音声出力回路において、出力インピーダンスをある程度大きくでき、音声ドライバーの出力側のみにミュート回路を装備することでミュートが有効に機能するためである。また、映像出力回路において、出力インピーダンスが７５Ω（低インピーダンス）になるように規定されているので、出力側にミュート回路を装着しても、十分なミュート機能を発揮できないためである。
【０００３】
図６は、音声出力回路の構成例を示す図である。図６に示すように、音声出力回路１０において、前段回路からの音声信号は音声Ｄ／ＡコンバータＩＣ１１に入力され、この音声Ｄ／ＡコンバータＩＣ１１で、デジタル音声信号をアナログ音声信号に変換して出力する。音声Ｄ／ＡコンバータＩＣ１１から出力された音声信号はコンデンサＣ１１、抵抗Ｒ１１によってＤＣカットされる。音声出力バッファＩＣ１２と抵抗Ｒ１２，Ｒ１３とから構成される音声ドライバーによって信号振幅が規定値まで増幅される。
【０００４】
また、抵抗Ｒ１４、トランジスタＱ１１および抵抗Ｒ１５によって、音声ミュート回路（トランジスタミュート回路）が構成される。この音声ミュート回路にハイレベル信号が印加されると、トランジスタＱ１１がオン状態になり、インピーダンスが非常に小さく（数十Ω程度）なる。そのため、抵抗Ｒ１４とトランジスタＱ１１のインピーダンス（オン時の抵抗値）の比によって音声信号がミュートされる。例えば、抵抗Ｒ１４の抵抗値が２．２ＫΩ、トランジスタＱ１１のオン時のインピーダンスが２０Ωとする場合、音声信号が２０／（２．２Ｋ＋２０）の比でミュートされる。音声出力端子の場合には、出力インピーダンスをある程度大きくできるため、音声ドライバーの出力側のみにミュート回路を装備することでミュートが有効に機能する。
【０００５】
図７は、従来の映像出力装置の構成例を示す図である。図７に示すように、映像出力装置２０において、前段回路からの映像信号はビデオＤ／ＡコンバータＩＣ２１に入力され、このビデオＤ／ＡコンバータＩＣ２１で、デジタル映像信号をアナログ映像信号に変換して出力する。ビデオＤ／ＡコンバータＩＣ２１から出力された映像信号は、ローパスフィルタ（ＬＰＦ）ＦＬ２１を通り、不要な周波数帯が遮断される。コンデンサＣ２１、抵抗Ｒ２４によってＤＣカットされる。トランジスタＱ２３と抵抗Ｒ２５，Ｒ２６とから構成される映像ミュート回路（トランジスタミュート回路）を通り、映像出力バッファＩＣ２２と抵抗Ｒ２７，Ｒ２８とから構成される映像出力ドライバーによって信号振幅が規定値まで増幅される。映像出力端子の場合、出力インピーダンスが７５Ωになるように規定されているため、抵抗Ｒ２９の抵抗値は７５Ωであることが多い。
【０００６】
これは、上述した図６の場合の音声出力端子のインピーダンスに比べれば、非常に小さいため、図６と同じようにミュート回路を映像出力バッファＩＣ２２の出力側に配置した場合には、十分にミュートされない。例えば、映像ミュート回路のオン時のインピーダンスを２０Ωだとすると、２０／（７５＋２０）の比でしかミュートされないことになる。そのため、図７に示すように映像出力バッファＩＣ２２の入力側にミュート回路を配置してミュート機能を実現する。例えば、トランジスタＱ２３のオン時のインピーダンス（２０Ω）と、抵抗Ｒ２５の抵抗値の比は２０／（１Ｋ＋２０）となり、十分にミュートできるようになる。
【０００７】
なお、抵抗Ｒ２５の抵抗値をさらに大きくすればミュート性能が向上するが、抵抗Ｒ２５の抵抗値とその周辺の浮遊容量で映像信号の周波数特性が制限されるためにあまり大きくすることはできない。
【０００８】
このように、映像出力装置２０において、映像出力バッファ（７５Ωドライバー等）ＩＣ２２の入力側にみにミュート回路を装備して映像ミュートを行っていた。ただし、ここで問題となってくるのが電源オン／オフおよびコンセントが引抜かれる瞬停時（以下、「過渡応答状態」ともいう）である。そのような時には、映像出力バッファＩＣ２２に十分電圧がかかっていないため、映像出力バッファＩＣ２２の帰還ループが正常に動作しない。そのため、映像出力バッファＩＣ２２の出力に正常に電圧が出力されずに、ＤＣ電圧の変動が生じる（後述図８、図９参照）。これが映像表示装置としてのＴＶモニタ上に輝度ノイズとなって現れてくる。この現象は、映像出力バッファＩＣ２２の入力側がミュートされても発生する現象である。
【０００９】
図８は、映像出力装置２０の電源オン時の映像出力例を示す図である。図８に示すように、映像出力装置２０の電源オン時に、映像出力バッファＩＣ２２に印加される電圧Ｖｃｃ及び電圧Ｖｅｅは変動が発生する。そのため、映像出力端子のＤＣ変動が生じる（図中の映像出力波形参照）。このＤＣ変動がＴＶモニタ上で輝度ノイズとなる。
【００１０】
図９は、映像出力装置２０の電源オフ時または瞬停時の映像出力例を示す図である。図９に示すように、映像出力装置２０の電源オフ時または瞬停時に、映像出力バッファＩＣ２２に印加される電圧Ｖｃｃ及び電圧Ｖｅｅは変動が発生する。そのため、映像出力端子のＤＣ変動が生じる（図中の映像出力波形参照）。このＤＣ変動がＴＶモニタ上で輝度ノイズとなる。
【００１１】
また、電源オン／オフ時、映像出力バッファに印加される電圧Ｖｃｃ及び電圧Ｖｅｅの変動を防止するため、映像出力バッファ部分のみ常に通電状態、即ち映像出力バッファに正常な電源電圧が印加されている状態（定常状態）にしておく方法が用いられている。この場合、電源オン／オフの過渡応答状態が生じないので、映像出力バッファの入力側のみミュートを行っておけばＴＶモニタ上に輝度ノイズが発生することはない。しかし、この方法でも瞬停（コンセント引き抜き）時では、ＴＶモニタ上に生じる輝度ノイズを解決することはできない。その上、消費電力の観点からも得策とは言えない。
【００１２】
また、電界効果トランジスタ（ＦＥＴ）を用いた映像ミュート回路を有する衛星放送受信装置が提案されている（例えば、特許文献１参照）。
【００１３】
この場合、映像ミュート回路は映像出力を電界効果トランジスタのドレイン・ソース路を介して受信装置内部の次段回路へ供給したり阻止したりするもので、電界効果トランジスタのゲートを他のトランジスタのコレクタ・エミッタ路を介して基準電位点に接続し、該トランジスタのベースにはマイクロコンピュータからのローレベルまたはハイレベルのミュート制御信号が供給されるようになっている。映像ミュート回路は、ハイレベルのミュート制御信号が入力されると、トランジスタをオンし電界効果トランジスタをオフすることにより、映像信号にミュートをかけるようになされている。
【００１４】
【特許文献１】実開平７−７２７６号公報（第７頁、第１図）
【発明の開示】
【発明が解決しようとする課題】
【００１５】
上述したように、映像出力装置２０の映像出力バッファ（７５Ωドライバー等）ＩＣ２２の入力側にミュート回路を装備してミュートを行う場合、映像出力バッファＩＣ２２に正常な電源電圧が印加されている定常状態ではミュート回路が有効に動作することができるが、電源オン／オフおよび瞬停の過渡応答状態時では、映像出力バッファＩＣ２２に十分電圧がかかっていないため、映像出力バッファＩＣ２２の帰還ループが正常に動作しない。そのため、映像出力バッファＩＣ２２の出力に正常に電圧が出力されずに、ＤＣ電圧の変動が生じる。これがＴＶモニタ上に輝度ノイズとなって現れる問題がある。また、映像出力端子のＤＣ電圧変動によって規格値以上の電圧が生じ、映像表示装置側への影響（例えば部品ダメージ）が起こるという問題がある。
【００１６】
また、映像出力バッファ部分のみ常に通電状態にする方法では、消費電力の多さが問題となる。かつ瞬停時に対しては、ＤＣ電圧の変動を防ぐことができなかった。
【００１７】
また、特許文献１の場合は、独立音声時に自動的に映像ミュートがかかる衛星放送受信装置において、ディスクランブラ等の外部入力モードに切り換えた場合に、独立音声モードでの映像ミュートの解除を可能にしたものであるため、過渡応答状態で電源オン／オフ時およびコンセントが引抜かれる時に生じる輝度ノイズを防止することができなかった。
【００１８】
そこで、この発明は、定常状態でミュート機能を実現できると共に、電源オン／オフ時およびコンセントが引抜かれる時に生じる輝度ノイズを防止することができるようにした映像出力装置を提供することを目的とする。
【課題を解決するための手段】
【００１９】
この発明に係る映像出力装置は、映像信号を規定値まで増幅して出力する映像出力手段と、該映像出力手段の入力側に配置され、映像をミュートする第１のミュート手段と、映像出力手段の出力側に配置され、映像をミュートする第２のミュート手段と、第１のミュート手段と第２のミュート手段を制御する制御手段とを備え、制御手段からの制御信号に基づいて、映像出力手段に所定の電源電圧が印加されている状態では第１のミュート手段によりミュートを行い、映像出力手段に所定の電源電圧が印加されていない状態では第２のミュート手段によりミュートを行うものである。例えば、映像出力手段の出力インピーダンスは７５Ωである。
【００２０】
この発明においては、映像出力手段の入力側に第１のミュート手段が配置され、映像出力手段の出力側に第２のミュート手段が配置される。制御手段からの制御信号に基づいて、映像出力手段に所定の電源電圧が印加されている状態では第１のミュート手段によりミュートを行い、映像出力手段に所定の電源電圧が印加されていない状態では第２のミュート手段によりミュートを行うようになされる。したがって、定常状態では第１のミュート手段が有効に動作し、過渡応答状態では第２のミュート手段が有効に動作するようになされる。
【００２１】
これにより、定常状態でミュート機能を実現できると共に、過渡応答状態で電源オン／オフ時およびコンセントが引抜かれる時に生じる輝度ノイズを防止することが可能となる。また、映像出力端子のＤＣ電圧変動を防ぐことができるため、ＤＣ電圧の大きな変動による映像表示装置への影響（例えば部品ダメージ）を抑えることが可能となる。
【発明の効果】
【００２２】
この発明によれば、映像出力手段の入力側に映像をミュートする第１のミュート手段を配置し、映像出力手段の出力側に映像をミュートする第２のミュート手段を配置し、制御手段からのミュート制御信号に基づいて、映像出力手段に所定の電源電圧が印加されている状態では第１のミュート手段によりミュートを行い、映像出力手段に所定の電源電圧が印加されていない状態では第２のミュート手段によりミュートを行うものであり、定常状態では第１のミュート手段が有効に動作し、過渡応答状態では第２のミュート手段が有効に動作することができるため、定常状態でミュート機能を実現できると共に、過渡応答状態で電源オン／オフ時およびコンセントが引抜かれる時に生じる輝度ノイズを防止することができる。
【００２３】
また、映像出力端子のＤＣ電圧変動を防ぐことができるため、ＤＣ電圧の大きな変動による映像表示装置への影響（例えば部品ダメージ）を抑えることが可能となる。また、従来の映像出力バッファ部分のみ常に通電状態にする方法のように、映像出力バッファ部分のみを通電状態にする必要がなく、低消費電力化を図ることができる。
【発明を実施するための最良の形態】
【００２４】
以下、図面を参照しながら、この発明の実施の形態の映像出力装置について説明する。
【００２５】
図１は、本発明の実施の形態の映像出力装置１００の構成を示す図である。図１に示すように、映像出力装置１００は、ビデオＤ／ＡコンバータＩＣ３１と、ローパスフィルタＦＬ３１と、映像出力バッファＩＣ３２と、第１のミュート手段としてのミュート回路Ａと、第２のミュート手段としてのミュート回路Ｂと、制御手段としての制御部１０１とを備えている。
【００２６】
ビデオＤ／ＡコンバータＩＣ３１は、前段回路から入力されるデジタル映像信号をアナログ映像信号に変換するものである。ビデオＤ／ＡコンバータＩＣ３１で得られたアナログ映像信号はトランジスタＱ３１へ出力される。
【００２７】
ローパスフィルタＦＬ３１は、ビデオＤ／ＡコンバータＩＣ３１から入力された映像信号の不要な周波数帯を遮断するものである。ビデオＤ／ＡコンバータＩＣ３１からの映像信号はトランジスタＱ３１を介してローパスフィルタＦＬ３１に入力される。
【００２８】
映像出力バッファＩＣ３２は、抵抗Ｒ３７および抵抗Ｒ３８と共に映像出力手段としての映像出力ドライバーを構成し、映像信号の振幅を規定値まで増幅するようになされる。映像出力バッファＩＣ３２には直流電圧ＶｃｃおよびＶｅｅが印加される。
【００２９】
ミュート回路Ａは、トランジスタＱ３３と、抵抗Ｒ３５と、抵抗Ｒ３６とから構成され、映像出力バッファＩＣ３２に正常な電源電圧（所定の電源電圧）が印加されている定常状態で映像出力を出力端子へ供給したり阻止したりして、映像ミュート機能を実現するものである。トランジスタＱ３３のベースには、制御部１０１からローレベルまたはハイレベルのミュート制御信号が供給されるようになっている。
【００３０】
このミュート回路Ａは、ハイレベルのミュート制御信号が入力されると、トランジスタＱ３３をオン状態になり、インピーダンスが非常に小さく（数十Ω程度）なる。そのため、抵抗Ｒ３５とトランジスタＱ３３のインピーダンス（オン時の抵抗値）の比によって映像信号がミュートされる。
【００３１】
ミュート回路Ｂは、トランジスタＱ３４と、抵抗Ｒ３９と、抵抗Ｒ４０とから構成され、映像出力バッファＩＣ３２に正常な電源電圧（ＶｃｃおよびＶｅｅ）が印加されていない過渡応答状態で映像ミュート機能を実現するものである。トランジスタＱ３４のベースには、制御部１０１からローレベルまたはハイレベルのミュート制御信号が供給されるようになっている。
【００３２】
このミュート回路Ｂは、ハイレベルのミュート制御信号が入力されると、トランジスタＱ３４をオン状態になり、インピーダンスが非常に小さく（数十Ω程度）なる。また、過渡応答状態で映像出力バッファＩＣ３２に十分な電圧がかかっていないため、映像出力バッファＩＣ３２の内部インピーダンスが高く、例えば数ＫΩ程度になる。この場合、ミュート回路Ｂは、映像出力バッファＩＣ３２の内部インピーダンスおよび抵抗Ｒ３９とトランジスタＱ３４のインピーダンス（オン時の抵抗値）の比によって映像信号をミュートするようになされる。
【００３３】
制御部１０１は、ミュート回路Ａおよびミュート回路Ｂを制御するための制御回路である。図２は、制御部１０１の構成例を示す図である。図２に示すように、制御部１０１は、サブマイコン１１と、ダイオードＤ４１，Ｄ４２，Ｄ４３，Ｄ４４，Ｄ４５と、コンデンサＣ４１と、抵抗Ｒ４１，Ｒ４２，Ｒ４３，Ｒ４４，Ｒ４５，Ｒ４６と、トランジスタＱ４１，Ｑ４２とから構成されている。
【００３４】
この制御部１０１は、映像出力装置１００が電源オン／オフおよび瞬停の過渡応答状態になった時にミュート制御を行い、また、定常状態では、サブマイコン１１からの制御信号によって、ミュート制御を行うようになされる。
【００３５】
図２中のＥＶＥＲ＿Ｖｃｃは、映像出力装置１００の電源オン／オフに関係なく（コンセントがささっている限り）通電されている電圧である。Ｖｃｃは、電源オン／オフによって通電が制御される電圧である。
【００３６】
映像出力装置１００の電源をオフからオンにする時、制御部１０１において、Ｖｃｃが下がっていることから、トランジスタＱ４２のベースは抵抗Ｒ４５を介してＧＮＤ（グランド）にバイアスされている。そのため、トランジスタＱ４２はオンしている状態である。その場合、トランジスタＱ４２のコレクタに電流が流れ、抵抗Ｒ４６によって電圧に変換され、出力端Ｂ４には、ハイレベル信号が出力される。これによりミュート回路Ｂはミュート状態になる。
【００３７】
また、映像出力装置１００の電源をオンからオフにする時、電源を切ることが予め映像出力装置１００が分かるので、サブマイコン１１の制御によりミュートをかけてから電源オフする。この場合、サブマイコン１１からハイレベル信号を出力されると、トランジスタＱ４１がオン状態になり、抵抗Ｒ４３，Ｒ４４に電流が流れ、トランジスタＱ４２がオンになるようにバイアスが印加される。トランジスタＱ４２がオンになると、トランジスタＱ４２のコレクタに電流が流れ、抵抗Ｒ４６によって電圧に変換され、出力端Ｂ４には、ハイレベル信号が出力される。
【００３８】
また、映像出力装置１００の電源が瞬停時、制御部１０１において、ＥＶＥＲ＿ＶｃｃとＶｃｃ共にＧＮＤに下がるが、ダイオードＤ４１，Ｄ４３とコンデンサＣ４１によってある一定時間に電圧が保持される。この時間だけ、トランジスタＱ４２に電源を供給する。Ｖｃｃが下がっているので、トランジスタＱ４２のベースは抵抗Ｒ４５を介してＧＮＤにバイアスされ、トランジスタＱ４２はオンする。そのため、トランジスタＱ４２のコレクタに電流が流れ、抵抗Ｒ４６によって電圧に変換され、出力端Ｂ４には、ハイレベル信号が出力される。コンデンサＣ４１に電荷が貯まっている限り、出力端Ｂ４には、ハイレベル信号が出力される。
【００３９】
図３は、電圧供給回路の構成例を示す図である。図３に示すように、電圧供給回路は、電源プラグ３１と、整流回路３２と、リモコン受光部３３と、サブマイコン１１と、スイッチＳＷ１，ＳＷ２とから構成されている。スイッチＳＷ２の動作は、リモコン受光部３３またはスイッチＳＷ１からの操作信号に基づいてサブマイコン１１により制御される。
【００４０】
電圧ＥＶＥＲ＿Ｖｃｃは、サブマイコン１１に供給されると共に、図２に示す制御部１０１のダイオードＤ４３に供給される。電圧Ｖｃｃは、図１に示す映像出力装置１００の映像出力バッファＩＣ３２等に供給されると共に、図２に示す制御部１０１のダイオードＤ４１に供給される。
【００４１】
次に、図１および図２を参照しながら、映像出力装置１００におけるミュート動作を説明する。
【００４２】
定常状態の場合、サブマイコン１１からの制御信号（例えばハイレベル信号）が出力され、この制御信号がミュート回路Ａおよびミュート回路Ｂに入力される、ここで、ミュート回路Ｂは上述したように、２０／（７５＋２０）の比でしかミュートされないことになるため、有効に機能しない。ここで、トランジスタＱ３４のオン時のインピーダンスを２０Ω、抵抗Ｒ３９（出力インピーダンス）の抵抗値は７５Ωである。一方、ミュート回路Ａは、２０／（１Ｋ＋２０）の比でミュートを行うので、十分にミュートできるようになる。ここで、トランジスタＱ３３のオン時のインピーダンスを２０Ω、抵抗Ｒ３５の抵抗値は１ＫΩである。
【００４３】
映像出力装置１００の電源オンの場合、電源がオフからオンになるため、制御部１０１（図２参照）において、Ｖｃｃが下がっていることから、トランジスタＱ４２のベースは抵抗Ｒ４５を介してＧＮＤにバイアスされている。そのため、トランジスタＱ４２はオンしている状態である。その場合、トランジスタＱ４２のコレクタに電流が流れ、抵抗Ｒ４６によって電圧に変換され、ダイオードＤ４５を介してハイレベル信号が出力される。このハイレベル信号により、トランジスタＱ３４をオン状態になり、インピーダンスが非常に小さく（２０Ω程度）なる。また、この場合、映像出力バッファＩＣ３２に十分な電圧（ＶｃｃおよびＶｅｅ）がかかっていないため、映像出力バッファＩＣ３２の帰還ループが正常に動作しない。つまり、映像出力バッファＩＣ３２の内部回路に電流が十分に流れていない。その結果、映像出力バッファＩＣ３２の内部インピーダンスが高く、例えば数ＫΩ程度になる。このとき、ミュート回路Ｂは２０／（数Ｋ＋７５＋２０）の比でミュートを行うので、十分にミュートできるようになる。なお、制御部１０１からのハイレベル信号によりミュート回路Ａも動作するが、上述したように映像出力バッファＩＣ３２の出力変動を抑えることができない。
【００４４】
図４は、映像出力装置１００の電源オン時の映像出力例を示す図である。図４に示すように、映像出力装置１００の電源オン時に、電圧ＶｃｃおよびＶｅｅが変化しても、ミュート回路Ｂによりミュートが行われたので、映像出力バッファＩＣ３２の出力変動（ＤＣ変動）が発生しない。その結果、電源オン時に生じる輝度ノイズが防止される。
【００４５】
映像出力装置１００の電源オフの場合、電源がオンからオフになるため、制御部１０１（図２参照）において、電源を切ることが予め映像出力装置１００が分かるので、サブマイコン１１の制御によりミュートをかけてから電源オフする。この場合、サブマイコン１１からハイレベル信号を出力されると、トランジスタＱ４１がオン状態になり、抵抗Ｒ４３，Ｒ４４に電流が流れ、トランジスタＱ４２がオンになるようにバイアスが印加される。トランジスタＱ４２がオンになると、トランジスタＱ４２のコレクタに電流が流れ、抵抗Ｒ４６によって電圧に変換され、ダイオードＤ４５を介してハイレベル信号が出力される。このハイレベル信号により、トランジスタＱ３４をオン状態になり、インピーダンスが非常に小さく（２０Ω程度）なる。また、この場合、映像出力バッファＩＣ３２に十分な電圧（ＶｃｃおよびＶｅｅ）がかかっていないため、映像出力バッファＩＣ３２の帰還ループが正常に動作しない。つまり、映像出力バッファＩＣ３２の内部回路に電流が十分に流れていない。その結果、映像出力バッファＩＣ３２の内部インピーダンスが高く、例えば数ＫΩ程度になる。このとき、ミュート回路Ｂは２０／（数Ｋ＋７５＋２０）の比でミュートを行うので、十分にミュートできるようになる。なお、制御部１０１からのハイレベル信号によりミュート回路Ａも動作するが、上述したように映像出力バッファＩＣ３２の出力変動を抑えることができない。
【００４６】
映像出力装置１００の電源瞬停の場合、電源コンセントが引抜かれるため、ＥＶＥＲ＿ＶｃｃとＶｃｃ共にＧＮＤに下がるが、ダイオードＤ４１，Ｄ４３とコンデンサＣ４１によってある一定時間に電圧が保持される。この時間だけ、トランジスタＱ４２に電源を供給する。Ｖｃｃが下がっているので、トランジスタＱ４２のベースは抵抗Ｒ４５を介してＧＮＤにバイアスされ、トランジスタＱ４２はオンする。そのため、トランジスタＱ４２のコレクタに電流が流れ、抵抗Ｒ４６によって電圧に変換され、ダイオードＤ４５を介してハイレベル信号が出力される。このハイレベル信号により、トランジスタＱ３４をオン状態になり、インピーダンスが非常に小さく（２０Ω程度）なる。また、この場合、映像出力バッファＩＣ３２に十分な電圧（ＶｃｃおよびＶｅｅ）がかかっていないため、映像出力バッファＩＣ３２の帰還ループが正常に動作しない。つまり、映像出力バッファＩＣ３２の内部回路に電流が十分に流れていない。その結果、映像出力バッファＩＣ３２の内部インピーダンスが高く、例えば数ＫΩ程度になる。このとき、ミュート回路Ｂは２０／（数Ｋ＋７５＋２０）の比でミュートを行うので、十分にミュートできるようになる。なお、制御部１０１からのハイレベル信号によりミュート回路Ａも動作するが、上述したように映像出力バッファＩＣ３２の出力変動を抑えることができない。
【００４７】
図５は、映像出力装置１００の電源オフ時、または瞬停時の映像出力例を示す図である。図５に示すように、映像出力装置１００の電源オフ時、または瞬停時に、電圧ＶｃｃおよびＶｅｅが変化しても、ミュート回路Ｂによりミュートが行われたので、映像出力バッファＩＣ３２の出力変動（ＤＣ変動）が発生しない。その結果、電源オフ時、または瞬停時に生じる輝度ノイズが防止される。
【００４８】
このように本実施の形態においては、映像出力バッファＩＣ３２の入力側にミュート回路Ａが配置され、映像出力バッファＩＣ３２の出力側にミュート回路Ｂが配置される。制御部１０１のミュート制御信号に基づいて、映像出力バッファＩＣ３２に正常な電源電圧が印加されている定常状態ではミュート回路Ａによりミュートを行い、映像出力バッファＩＣ３２に正常な電源電圧が印加されていない過渡応答状態ではミュート回路Ｂによりミュートを行うようになされる。
【００４９】
これにより、定常状態でミュート機能を実現できると共に、過渡応答状態で電源オン／オフ時およびコンセントが引抜かれる時に生じる輝度ノイズを防止することが可能となる。
【００５０】
また、映像出力端子のＤＣ電圧変動を防ぐことができるため、ＤＣ電圧の大きな変動による映像表示装置への影響（例えば部品ダメージ）を抑えることが可能となる。また、従来の映像出力バッファ部分のみ常に通電状態にする方法のように、映像出力バッファ部分のみを通電状態にする必要がなく、低消費電力化を図ることができる。
【００５１】
なお、上述実施の形態においては、ミュート回路Ａ，Ｂにはトランジスタミュート回路が用いられたが、これに限定されるものではない。他のミュート回路を用いた場合にもこの発明を適用できる。
【００５２】
また、上述実施の形態においては、映像出力装置１００は出力インピーダンスが７５Ωとしたが、これに限定されるものではない。他の出力インピーダンスが低い映像出力装置にもこの発明を適用できる。
【産業上の利用可能性】
【００５３】
以上のように、この発明に係る映像出力装置は、テレビジョン受信機等の出力インピーダンスが低い映像出力装置の電源オン／オフ時または瞬停時に輝度ノイズの発生を防止する目的に適用でき、また、映像出力端子のＤＣ電圧変動を抑え、ＤＣ電圧の大きな変動による映像表示装置への影響（例えば部品ダメージ）を防ぐ目的にも利用できる。
【図面の簡単な説明】
【００５４】
【図１】実施の形態の映像出力装置の構成例を示す図である。
【図２】制御部１０１の構成例を示す図である。
【図３】電圧供給回路の構成例を示す図である。
【図４】映像出力装置１００の電源オン時の映像出力例を示す図である。
【図５】映像出力装置１００の電源オフ時または瞬停時の映像出力例を示す図である。
【図６】従来の音声出力回路の構成例を示す図である。
【図７】従来の映像出力装置の構成例を示す図である。
【図８】映像出力装置２０の電源オン時の映像出力例を示す図である。
【図９】映像出力装置２０の電源オフ時または瞬停時の映像出力例を示す図である。
【符号の説明】
【００５５】
１１・・・サブマイコン、３１・・・電源プラグ、３２・・・整流回路、３３・・・リモコン受光部、１００・・・映像出力装置、１０１・・・制御部、Ａ，Ｂ・・・ミュート回路、ＩＣ３１・・・ビデオＤ／Ａコンバータ、ＦＬ３１・・・ローパスフィルタ、ＩＣ３２・・・映像出力バッファ、ＳＷ１，ＳＷ２・・・スイッチ
【図１】
2005086251.tif 000003
【図２】
2005086251.tif 000004
【図３】
2005086251.tif 000005
【図４】
2005086251.tif 000006
【図５】
2005086251.tif 000007
【図６】
2005086251.tif 000008
【図７】
2005086251.tif 000009
【図８】
2005086251.tif 000010
【図９】
2005086251.tif 000011